(57)【要約】【課題】ポンプ組品が故障した際に容易に交換可能な、メンテナンスの優れた衛生洗浄装置を提供する。【解決手段】袖下ケース７背面のネジ孔７ｄを通して分岐金具取付板２０のネジ穴２０ａにネジ締めされたネジを外して袖下ケース７を取り外し、吊り下げ状のポンプ組品９などを露出させることができ、しかも、このポンプ組品９からポンプ本体１４を取り外せるようにしたので、ポンプ本体１４が故障した際にも、これを容易に交換でき、メンテナンス性に優れている。【選択図】  図８
2004293127.tif 000002
【特許請求の範囲】
【請求項１】
便器上に載置され、給水源からの水を与圧するためのポンプ組品と、前記ポンプ組品で与圧された水を局部に噴出するためのノズルユニットと、前記ポンプ組品や前記ノズルユニット等の機能部を固定するための機能部取付基板と、前記機能部取付基板とともに前記機能部を囲繞するケーシングと、前記機能部取付基板と前記ケーシングの一部が便器横に膨出して形成される袖部とを備えた衛生洗浄装置において、前記ポンプ組品が前記袖部の前記機能部取付基板の下面に吊り下げ状に取り付けられるとともに、前記ポンプ組品を隠蔽する袖下ケースが着脱可能に設けらていることを特徴とする衛生洗浄装置。
【請求項２】
前記ポンプ組品は、ポンプ本体と、前記ポンプ本体を前記機能部取付基板に取り付けるためのポンプ取付手段とからなり、前記ポンプ取付手段は、前記機能部取付基板の下面に固定されるとともに、前記ポンプ本体は、前記ポンプ取付手段の下部に着脱自在に取り付けられていることを特徴とする請求項１に記載の衛生洗浄装置。
【発明の詳細な説明】
【０００１】
【発明の属する技術分野】
本発明は、水を局部に噴出するノズルユニットを備えた衛生洗浄装置に関し、特にノズルユニットへ供給する水を与圧するためのポンプ組品を備えた衛生洗浄装置に関するものである。
【０００２】
【従来の技術】
従来より、便器上に載置されて、人体の局部に洗浄水を噴出するノズルユニットを備えた衛生洗浄装置が知られている。使用者が快適に洗浄を行なうには、適度の水圧がノズルユニットに付与される必要があるが、給水源としての水道の圧力が低い場合や、水道から給水できないケースもある。この場合、衛生洗浄装置にポンプ組品を備えて、ノズルユニットへ供給する水を与圧するようにしたものもある（例えば、特許文献１参照）。
【０００３】
【特許文献１】
特開平８−３２６１３２号公報
【０００４】
【発明が解決しようとする課題】
このポンプ組品は、衛生洗浄装置の外観をなすケーシングおよび機能部取付基板に囲繞されて、機能部取付基板の上面に取り付けられる。しかしながら、このような構成では、設置後のポンプ組品の交換が容易ではないという問題があった。具体的には、衛生洗浄装置を便器上に設置して使用を開始した後、可動部品であるポンプ組品が故障する場合がある。その場合、メンテナンス作業者はケーシングを取り外して中のポンプ組品を交換するのであるが、ケーシングには便座や便蓋が取り付けられているため外す作業が容易ではないうえ、ケーシング内には種々の機能部品や制御部品が内包されていてポンプ組品の交換の邪魔になる。このように、ポンプ組品を交換するにはかなりの手間がかかってしまう。
【０００５】
本発明は、上記課題を解決するためになされたもので、本発明の目的は、ポンプ組品が故障した際に容易に交換可能な、メンテナンスの優れた衛生洗浄装置を提供することにある。
【０００６】
【課題を解決するための手段及びその作用・効果】
上記課題を解決するために請求項１は、便器上に載置され、給水源からの水を与圧するためのポンプ組品と、前記ポンプ組品で与圧された水を局部に噴出するためのノズルユニットと、前記ポンプ組品や前記ノズルユニット等の機能部を固定するための機能部取付基板と、前記機能部取付基板とともに前記機能部を囲繞するケーシングと、前記機能部取付基板と前記ケーシングの一部が便器横に膨出して形成される袖部とを備えた衛生洗浄装置において、前記ポンプ組品が前記袖部の前記機能部取付基板の下面に吊り下げ状に取り付けられるとともに、前記ポンプ組品を隠蔽する袖下ケースが着脱可能に設けらていることとした。よって、袖下ケースを外すだけで吊り下げ状のポンプ組品を露出させることができるので、このポンプ組品を容易に交換することができる。
【０００７】
請求項２では、請求項１に記載の衛生洗浄装置において、前記ポンプ組品は、ポンプ本体と、前記ポンプ本体を前記機能部取付基板に取り付けるためのポンプ取付手段とからなり、前記ポンプ取付手段は、前記機能部取付基板の下面に固定されるとともに、前記ポンプ本体は、前記ポンプ取付手段の下部に着脱自在に取り付けられていることとした。よって、ポンプ本体のみを容易に取り外すことができるので、メンテナンス性がさらに向上する。
【０００８】
【発明の実施の形態】
以下、本発明の実施の形態を図面に基づいて説明する。
【０００９】
図１は、本発明の一実施形態に係る衛生洗浄装置１の透視斜視図である。衛生洗浄装置１は、図示しない洋式便器上に取り付けられる。この衛生洗浄装置１は、上下二分割式のケーシング１０および機能部取付基板１１の内部に、ヒータを内蔵する貯湯タンク２、人体の局部に洗浄水を噴出するノズルユニット３、便器内の脱臭を行なう脱臭装置４、およびこれらの機器の動作を制御する制御部５等を、相互に近接させてコンパクトに組み込んで構成されている。また、ケーシング１０の袖部の上面には、機器の操作部６が配置され、この操作部６の下部の袖下ケース７内には、衛生洗浄装置１の外部に設置された洗浄水タンク８（図２参照）の水を与圧させるためのポンプ組品９が収納されている。ここで袖下ケース７は、ポンプ組品９を隠蔽する化粧ケースである。
【００１０】
図２は、衛生洗浄装置１の水路系統図である。図２に示すように、洗浄水タンク８に貯水されている洗浄水は、中継部材である分岐金具１２を経由してポンプ組品９に送られて与圧された後、再び分岐金具１２を経由して貯湯タンク２へ送られる。そして貯湯タンク２で温水となり、流量調整機能付きのノズルユニット３を通して局部へ噴射される。
【００１１】
図３は、分岐金具１２を示す図である。分岐金具１２は、Ａ接続口１２ａ、Ｂ接続口１２ｂ、Ｃ接続口１２ｃ、Ｄ接続口１２ｄの４つの接続口が設けられている。ここで、Ａ接続口１２ａは、洗浄水タンク８から来るホースを接続する接続口、Ｂ接続口１２ｂは、貯湯タンク２の入水口へ向かうホースを接続する接続口、Ｃ接続口１２ｃは、ポンプ組品９の入水口へ向かうホースを接続する接続口、Ｄ接続口１２ｄは、ポンプ組品９の流出口から来るホースを接続する接続口である。分岐金具１２のフランジ部には、後述する分岐金具取付板２０にネジ止め固定するためのネジ孔１２ｅ（２箇所）が形成されている。
【００１２】
図３に示すように、分岐金具１２内のＢ接続口１２ｂの上流側には、与圧後の圧力を一定に調節するための調圧手段である調圧弁１３が設けられている。具体的には調圧弁１３は、調整ネジ１３ａ、調圧バネ１３ｂ、および調圧弁１３ｃからなり、ポンプ組品９で与圧された圧力が設定圧力以上になった場合は、調圧弁１３ｃが調圧バネ１３ｂを圧縮して戻り水路１３ｄが開放し、貯湯タンク２へ向かう圧力を低下させるように構成している。なお、調整ネジ１３ａは、これを回すことで調圧バネ１３ｂの圧縮力を変更することができるので、調圧されるべき与圧後の圧力を変更するための変更手段としての役割を果たす。このように、調圧弁１３で与圧後の圧力を一定に調節することができるので、商品の仕様を満足しながら既製品のポンプ組品９を使用することもでき、コストを抑制できる。また、商品の設置後にも与圧後の圧力を容易に調整可能であり、また、種々の商品ごとに求められる圧力の仕様にも容易に対応できる。
【００１３】
図４は、ポンプ組品９の組立説明図であり、図５は、ポンプ組品９の側面図である。図４（ｂ）に示すように、ポンプ組品９は、与圧を発生させるポンプ本体１４と、ポンプ本体１４を機能部取付基板１１に取り付けるためのポンプ取付板１５およびベース金具１６で構成されている。
【００１４】
図６は、ベース金具１６を示す図である。図６（ｂ）に示すように、ベース金具１６は、方形の板を略Ｚ字状に折り曲げた如き形態をしている。このベース金具１６の下部水平部１６ｃには、ゴム（弾性体）製の防振部材１７が貫通孔１６ｄを介して一体的に取り付けられている。また、図６（ａ）に示すように、ベース金具１６の上部水平部１６ａには、ポンプ取付板１５に対する固定用のネジ孔１６ｂ（２箇所）が形成されている。ここで、防振部材１７は、ポンプ本体１４で発生する振動や騒音を減衰させる役割を担うものである。
【００１５】
図６（ｂ）に示すように、防振部材１７は、ベース金具１６の下部水平部１６ｃの上に設置される基部１７ａを備え、その下面には、貫通孔１６ｄに挿嵌させる嵌合突起１７ｂを設けている。一方、基部１７ａの上面には、小円柱状の支柱１７ｃを立設している。支柱１７ｃの上端には頭部１７ｄを設け、更に、その下側にフランジ状の受け座１７ｅを設けて、この両者間に環状のくびれ部１７ｆを形成している。
【００１６】
防振部材１７をベース金具１６に固定する方法としては、ベース金具１６を前述の形状にプレス加工等した後、下部水平部１６ｃの上面に接着剤を塗布し、嵌合突起１７ｂを貫通孔１６ｄに挿嵌して固着させる方法がある。あるいは、ベース金具１６と防振部材１７を一体成形させてもよい。
【００１７】
図７はポンプ本体１４を示す図である。ポンプ本体１４には、円柱状の機能部１４ａと、入水口１４ｂと、機能部１４ａによって与圧された洗浄水が流出する流出口１４ｃとが設けられている。機能部１４ａのハウジング上部には、吊り下げ設置をするための脚部材１４ｄが４箇所設けられており、それぞれにスリット部１４ｅが設けられている。
【００１８】
次に、ポンプ組品９の組立方法を説明する。図５（ａ）に示すように、ポンプ取付板１５の下面には、一対のボス部材１５ｂが形成されている。このボス部材１５ｂの頂部にはネジ孔が形成されているので、ボス部材１５ｂを跨ぐようにベース金具１６を配置すれば、ベース金具１６の上部水平部１６ａのネジ孔１６ｂ（図６参照）を介してネジ固定することができる。なお、ベース金具１６は２個使用する。ところで、図５（ａ）に示すように、ベース金具１６は略Ｚ字形状なので、ポンプ取付板１５の下面とベース金具１６の下部水平部１６ｃとの間には、空間が形成される。ポンプ本体１４をベース金具１６に取り付ける際には、この空間を利用する。
【００１９】
具体的には、次のようにして取り付ける。まず、前述の空間にポンプ本体１４の脚部材１４ｄ（図７参照）が来るようにポンプ本体１４を配置する。次に、ベース金具１６の防振部材１７を外側に押し広げつつ（図５（ｂ）の矢印参照）、スリット１４ｅ（図７参照）が防振部材１７のくびれ部１７ｆ（図６（ｂ）参照）に係合する位置にまでポンプ本体１４を移動させる。くびれ部１７ｆはスリット１４ｅの幅よりやや太く作られているので、くびれ部１７ｆをスリット１４ｅに強く押し込めば、ポンプ本体１４の固定が完了すると同時に抜け止めもなされる。なお、ポンプ本体１４の自重により、防振部材１７の支柱１７ｃ（図６（ｂ）参照）は圧縮状態となる。ここで、仮に支柱１７ｃがポンプ本体１４の自重によって伸長するように配置されたとすると、ポンプ本体１４の自重で防振部材１７の性能が劣化したり破断したりする恐れがあるが、本実施例では、圧縮されるように配置したので、この心配もなく、長期間の使用に耐えられる。以上の要領で、ポンプ組品９の組立が完了する。
【００２０】
続いて、ポンプ組品９の機能部取付基板１１への取付手順を説明する。図４（ｂ）に示すように、ポンプ組品９のポンプ取付板１５には係合爪１５ａが形成されている。一方、図４（ａ）に示すように、機能部取付基板１１には、取付穴１１ａが形成されている。この係合爪１５ａを取付穴１１ａに係合させることにより、ポンプ組品９を機能部取付基板１１に仮固定することができる。次に、機能部取付基板１１のネジ孔１１ｂを介して、ポンプ取付板１５のボス部材１５ｄのネジ孔に上部からネジ締めすることで、ポンプ組品９が機能部取付基板１１の袖部下で固定される。なお、このポンプ組品９は、袖下部の中継ハーネス（図示せず）により制御部５（図１参照）に接続される。ここで、ポンプ本体１４は、防振部材１７、ベース金具１６、ポンプ取付板１５を介して機能部取付基板１１の下面に吊り下げ状に固定されるので、機能部取付基板１１の上面に固定される場合より騒音・振動を抑制することができる。
【００２１】
ところで、衛生洗浄装置１の背面には、オプションユニットを接続するための接続端子を備えている。オプションユニットとしては、トイレ室内を暖房する暖房器具や、便器洗浄装置、各機能を遠隔操作するためのワイヤードリモコンなどが挙げられる。オプションユニットのジャックとしては、種々の形態があるが、本実施例ではピンジャック端子を例にとって以下、説明する。
【００２２】
図８は、袖下ケース７およびピンジャックカバー１８部の組立説明図であり、図９は同組立状態を示す図である。これらの図を用いて、ピンジャックカバー１８部の組み立て手順を説明する。まず、袖下ケース７の背面に形成された接続口７ａに、ピンジャックカバー１８を袖下ケース７の内面から挿入する。図９（ｂ）に示すように、ピンジャックカバー１８は、基部１８ａに対して、ひさし部１８ｃと、凸状の筒形状１８ｂが設けられていて、その筒形状１８ｂを塞ぐようにピンジャック挿入面１８ｄが形成されている。ここで、ピンジャック挿入面１８ｄには十字の切り欠きが設けられているので、ピンジャック２４を挿入する際に妨げになることはない。ピンジャックカバー１８は、接続口７ａに挿入された後、袖下ケース７の裏面の切り欠き部７ｃに挿入される押え板１９により挟まれて固定される。このような構成としたので、オプションユニットの不使用時、すなわちピンジャック２４が挿入されていない状態においては、閉塞手段であるピンジャック挿入面１８ｄにより後述するピンジャック端子２２が露出しないので、拭き掃除する際などにも被水することがなく、故障の発生を防止できる。
【００２３】
次に、袖下ケース７の組み立て手順を説明する。ポンプ組品９のポンプ取付板１５の側面には、図４（ｂ）に示すように、係合爪１５ｃが形成されている。一方、袖下ケース７の内側面には、図４（ａ）および図８に示すように、係止用の切り欠き部７ｂ（５箇所）が形成されている。この係合爪１５ｃが切り欠き部７ｂに係合することにより、袖下ケース７が仮固定される。そして、袖下ケース７背面に形成されているネジ孔７ｄ（図８参照）を通して、分岐金具１２を機能部取付基板１１に固定するための分岐金具取付板２０に形成されたネジ穴２０ａにネジ締めすることで、袖下ケース７が固定される。ここで、このネジを外せば袖下ケース７を取り外してポンプ組品９などを露出させることができるので、メンテナンス性に優れている。特に、本実施例においては、上述したようにポンプ本体１４の固定を、スリット１４ｅにくびれ部１７ｆを押し込んだのものとしており、ポンプ本体１４の取り外しも容易であるので、ポンプ本体１４が故障した際にも、これを容易に交換できる。
【００２４】
図９（ｂ）に示すように、分岐金具取付板２０の上面には、ピンジャック端子取付板２１が取り付けられ、その上面にピンジャック端子２２が固定される。そして、このピンジャック端子２２の上部には、これを覆うように防水カバー２３を設けている（図９（ａ）（ｂ）参照）。この防水カバー２３の端面は、ピンジャックカバー１８のひさし部１８ｃの上面まで延出しており、後に取り付けられるケーシング１０の端面１０ａとの間で挟持される。衛生洗浄装置１の使用環境によっては、ケーシング１０内の結露等によって水滴が滴下して故障の原因になることもあるが、本実施例においては、上記した防水カバー２３が、ピンジャック端子２２への水滴の滴下を確実に防ぐので、故障の発生を防止できる。なお、ケーシング１０の機能部取付基板１１に対する固定は、機能部取付基板１１の背面のネジ孔（図示せず）と、機能部取付基板１１の前面の係合爪１１ｃ（図１参照）を用いて行なわれる。
【図面の簡単な説明】
【図１】本発明の一実施形態に係る衛生洗浄装置１の透視斜視図
【図２】衛生洗浄装置１の水路系統図
【図３】分岐金具１２を示す図
【図４】ポンプ組品９の組立説明図
【図５】ポンプ組品９の側面図
【図６】ベース金具１６を示す図
【図７】ポンプ本体１４を示す図
【図８】袖下ケース７およびピンジャックカバー１８部の組立説明図
【図９】同組立状態を示す図
【符号の説明】
１…衛生洗浄装置
２…貯湯タンク
３…ノズルユニット
４…脱臭装置
５…制御部
６…操作部
７…袖下ケース
７ａ…接続口
７ｂ…切り欠き部
７ｃ…切り欠き部
７ｄ…ネジ孔
８…洗浄水タンク
９…ポンプ組品
１０…ケーシング
１０ａ…端面
１１…機能部取付基板
１１ａ…取付穴
１１ｂ…ネジ孔
１１ｃ…係合爪
１２…分岐金具
１２ａ…Ａ接続口
１２ｂ…Ｂ接続口
１２ｃ…Ｃ接続口
１２ｄ…Ｄ接続口
１２ｅ…ネジ孔
１３…調圧弁
１３ａ…調整ネジ
１３ｂ…調圧バネ
１３ｃ…調圧弁
１３ｄ…戻り水路
１４…ポンプ本体
１４ａ…機能部
１４ｂ…入水口
１４ｃ…流出口
１４ｄ…脚部材
１４ｅ…スリット部
１５…ポンプ取付板
１５ａ…係合爪
１５ｂ…ボス部材
１５ｃ…係合爪
１５ｄ…ボス部材
１６…ベース金具
１６ａ…上部水平部
１６ｂ…ネジ孔
１６ｃ…下部水平部
１６ｄ…貫通孔
１７…防振部材
１７ａ…基部
１７ｂ…嵌合突起
１７ｃ…支柱
１７ｄ…頭部
１７ｅ…受け座
１７ｆ…くびれ部
１８…ピンジャックカバー
１８ａ…基部
１８ｂ…筒形状
１８ｃ…ひさし部
１８ｄ…ピンジャック挿入面
１９…押え板
２０…分岐金具取付板
２０ａ…ネジ穴
２１…ピンジャック端子取付板
２２…ピンジャック端子
２３…防水カバー
２４…ピンジャック
【図１】
2004293127.tif 000003
【図２】
2004293127.tif 000004
【図３】
2004293127.tif 000005
【図４】
2004293127.tif 000006
【図５】
2004293127.tif 000007
【図６】
2004293127.tif 000008
【図７】
2004293127.tif 000009
【図８】
2004293127.tif 000010
【図９】
2004293127.tif 000011